(57)【要約】酸性ガス除去装置１００は、希薄溶剤１２２および準希薄溶剤１３２を独立的に生成する２つの再生器１２０、１３０に濃厚溶剤１０６を供給する吸収器１１０を備え、準希薄溶剤１３２は、再生器の一方１３０において、他方の再生器１２０から誘導された熱１４０および／または蒸気２７６を使用して生成される。特に、発電装置が高レベルの熱を酸性ガス除去装置に供給し、発電装置は、酸性ガス除去装置から低レベルの熱を受け入れる発電装置によるさらなる熱統合が考えられる。
2005532157.tif 000002
【特許請求の範囲】
【請求項１】
希薄溶剤および準希薄溶剤を使用して供給ガスから酸性ガスを除去することによって、準濃厚溶剤および濃厚溶剤を生成する吸収器と、
濃厚溶剤の第１の部分を受け入れることによって、希薄溶剤および第１の再生器の塔頂留出物を生成する第１の再生器と、
濃厚溶剤の第２の部分を受け入れることによって、準希薄溶剤および第２の再生器の塔頂留出物を生成する第２の再生器とを備え、
第２の再生器の塔頂留出物および準希薄溶剤は、濃厚溶剤の第２の部分から実質的に専ら生成される装置。
【請求項２】
濃厚溶剤の第２の部分は、第１の再生器からの希薄溶剤に対して、熱交換器で予備加熱される請求項１に記載の装置。
【請求項３】
第２の再生器は、装置内の構成要素からの蒸気をさらに受け入れる請求項２に記載の装置。
【請求項４】
構成要素は、第１の再生器の蒸気再沸器で、蒸気は、蒸気再沸器からのフラッシュ蒸気コンデンセートである請求項３に記載の装置。
【請求項５】
吸収器は、第１の再生器の動作圧力および第２の再生器の動作圧力より低い圧力で動作する請求項１に記載の装置。
【請求項６】
供給ガスは、３０ｐｓｉａ以下の圧力の煙道ガスを含む請求項５に記載の装置。
【請求項７】
供給ガス中の酸性ガスは二酸化炭素で、０．２５％（体積）から３０％（体積）の濃度を有し、供給ガスは、０．２５％（体積）から２０％（体積）の濃度の酸素をさらに含む請求項６に記載の装置。
【請求項８】
吸収器は、準濃厚溶剤の少なくとも一部を受け入れ、冷却して、吸収器に再導入される冷準濃厚溶剤を形成する中間冷却器に結合される請求項１に記載の装置。
【請求項９】
準希薄溶剤の少なくとも一部が準濃厚溶剤と混合されて、混合溶剤を形成し、中間冷却器は、混合溶剤を冷却して、吸収器に供給される冷混合溶剤を形成する請求項８に記載の装置。
【請求項１０】
吸収器は、準希薄溶剤の少なくとも一部を受け入れ、冷却して、吸収器に供給される冷準希薄溶剤を形成する中間冷却器に結合される請求項１に記載の装置。
【請求項１１】
場合によって、吸収器に動作結合された中間冷却器を備え、発電装置または改質装置が該装置に動作結合され、発電装置または改質装置は、（ａ）第１の再生器の再沸器に対するエネルギーおよび（ｂ）吸収器に供給される供給ガスを供給し、（ｃ）エネルギーは、場合によって、ダクト着火を採用する熱回収ユニットによって供給される請求項１に記載の装置。
【請求項１２】
希薄溶剤冷却器、準希薄溶剤冷却器および再生器コンデンサの少なくとも１つを備え、希薄溶剤冷却器、準希薄溶剤冷却器、再生器コンデンサおよび中間冷却器の少なくとも１つによって発電装置に熱が供給される請求項１１に記載の装置。
【請求項１３】
場合によって吸収器に動作結合された中間冷却器を備え、希薄溶剤冷却器、準希薄溶剤冷却器および再生器コンデンサの少なくとも１つをさらに備え、発電装置が該装置に動作結合され、希薄溶剤冷却器、準希薄溶剤冷却器、再生器コンデンサおよび中間冷却器の少なくとも１つによって発電装置に熱が供給される請求項１に記載の装置。
【請求項１４】
吸収器が、希薄溶剤および準希薄溶剤を使用して低圧煙道ガスから酸性ガスを除去する装置であって、希薄溶剤は、第１の圧力で動作する第１の再生器によって生成され、準希薄溶剤は、第２の圧力で動作する第２の再生器によって生成され、第１および第２の圧力の各々は、低圧煙道ガスの圧力より高い装置。
【請求項１５】
第１および第２の再生器は、それぞれ濃厚溶剤の第１および第２の部分を受け入れ、濃厚溶剤は、吸収器によって生成される請求項１４に記載の装置。
【請求項１６】
濃厚溶剤の第２の部分は、濃厚溶剤の第２の部分が第２の再生器に入る前に、第１の再生器の希薄溶剤によって加熱される請求項１５に記載の装置。
【請求項１７】
第２の再生器は、第１の再生器の蒸気再沸器によって生成されたコンデンセートからフラッシュされる蒸気をさらに受け入れる請求項１４に記載の装置。
【請求項１８】
吸収器は中間冷却器に結合され、中間冷却器は、吸収器によって生成された準濃厚溶剤および第２の再生器によって生成された準希薄溶剤の少なくとも一方を冷却する請求項１４に記載の装置。
【請求項１９】
低圧煙道ガスは、３０％（体積）以下の二酸化炭素および２０％（体積）未満の酸素を含み、低圧煙道ガスは、３０ｐｓｉａ以下の圧力を有する請求項１４に記載の装置。
【請求項２０】
場合によって吸収器に動作結合された中間冷却器を備え、発電装置または改質装置が該装置に動作結合され、発電装置は、（ａ）第１の再生器の再沸器に対する熱、および（ｂ）吸収器に供給される供給ガスを供給し、発電装置または改質装置は、場合によって、希薄溶剤冷却器、準希薄溶剤冷却器、該装置の再生器コンデンサ、および中間冷却器の少なくとも１つによる該装置からの熱を受け入れる請求項１４に記載の装置。
【発明の詳細な説明】
【技術分野】
【０００１】
本出願は、いずれも参照により本明細書に組み込まれている、２００２年７月３日に出願した出願番号第６０／３９３，５９５号の米国仮出願、および２００３年５月２日に出願した出願番号第６０／４６７，７１９号の米国仮出願の利益を主張するものである。
【０００２】
本発明の分野はガス処理であり、特に様々な供給ガス、特には煙道ガスの酸性ガス成分の除去に関する。
【背景技術】
【０００３】
当該技術分野において、プロセスガスから酸性ガスを除去する様々な構成および方法（例えば様々な蒸留法、吸着法および吸収法）が知られており、その中でも、再生器−吸収器システムが、比較的頑強かつコスト効率の高いガス精製システムとして頻繁に採用されている。
【０００４】
典型的な再生器−吸収器システムでは、ガスを向流で吸収器に接触させ、酸性ガス（または他のガス成分）を少なくとも部分的に希薄溶剤に吸収させて、濃厚溶剤および精製プロセスガスを生成する。次いで、典型的には濃厚溶剤を交差型熱交換器で加熱し、続いて再生器において低圧でストリッピングする。そのようにしてストリッピングした溶剤（すなわち希薄溶剤）を交差型熱交換器で冷却して、吸収器へのループバックを完了する前に希薄溶剤の温度を下げる。したがって、当該再生器−吸収器システムは、典型的には、比較的低コストで連続運転を可能にする。しかし、多くの状況では、酸性ガス除去効率の程度は満足できるものではなく、特に酸性ガスが二酸化炭素である場合には、標準的な再生器−吸収器システムで厳格な排出規定を達成することがしばしば不可能である。
【０００５】
当該システムにおける二酸化炭素除去に伴う問題を克服するために、再生器での温度を高くすることができる。しかし、この方法では、腐食および溶剤劣化が大きいため、最適化の度合いがしばしば制限される。あるいは、溶剤のバルクを再生器カラムの中間段階から除去し、吸収器の中間段階に再循環させる分流吸収サイクルを採用することもできる。典型的な分流法が、米国特許第１，９７１，７９８号（Ｓｈｏｅｌｄ）に記載されている。この構成では、最低濃度までストリッピングされるのは溶剤のわずかな部分にすぎず、ストリッピングに対する高い蒸気・液体比が再生器の底部トレイで達成されるため、比較的低い出口濃度でエネルギー使用量が幾分小さくなる。しかし、（主に、溶剤が分流環内を循環する際の溶剤組成の変動により）ストリッピングにおける熱力学的効率が低くなるため、エネルギー消費量の低減レベルが比較的低い。
【０００６】
分流環法に伴うそれらの問題の少なくとも一部を回避するために、様々な改良がなされてきた。例えば、分流法に対する１つの改良は、溶剤の濃度をより正確に制御することである。溶剤濃度をより正確に制御するためには、一般に２つの改造が必要である。第１の改造は中間再沸器からなり、該中間再沸器は、準希薄溶剤から水を煮沸除去して、希薄溶剤の濃度に対する準希薄溶剤の濃度を調節するために、主再生器に取りつけることができる。第２の改造は、主再生器からのコンデンセートを再生するための副再生器を含む。主再生器からのコンデンセートは主再生器の上部へ送られ、そこで部分的にストリッピングされ、次いで溶存ガスの濃度が極めて低くなるまで副再生器でさらにストリッピングされてから、主再生器の底部再沸器へ戻される。
【０００７】
非常に低い濃度までストリッピングされるのは全溶剤の比較的少ない部分（典型的には２０％以下）にすぎないため、比較的低いエネルギー使用量による比較的低い出口濃度を達成できる。また、改良型分流法においてメチルジエタノールアミン（ＭＤＥＡ）を溶剤として採用すると、液体循環量を約２０％減少させることができる。しかし、エネルギー使用を向上させ、溶剤循環量を減少させるための改造は、主再生器の構成の実質的改造、および副再生器の導入を必要とし、そのいずれもが既存の吸収器−再生器システムのコストを増大させ、著しい休止時間をまねくおそれがある。
【０００８】
分流法に対する他の改良が、米国特許第６，１３９，６０５号（Ｃａｒｎｅｌｌ他）に記載されている。ここでは、一次再生器が準希薄溶剤を生成し、二次再生器が超希薄溶剤を生成する２つの再生器カラムを利用している。吸収器を出た精製プロセスガスのわずかな部分がより低い圧力レベルまで膨張することによって、冷精製ガスを生成する。二次再生器を出た加熱済超希薄溶剤流は、冷精製プロセスガスで冷却されることによって、加熱精製プロセスガスが生成され、次に二次再生器に供給される。次いで、二次再生器から再循環ガスが回収され、吸収器の供給ガス流へフィードバックされる。
【０００９】
二次再生器において、再沸溶剤の代わりに加熱プロセスガスを使用すると、有利には、二次再生器における溶剤蒸気の分圧が低下し、二次再生器が、一次再生器カラムより低い温度で動作することが可能になる。二次再生器を低温で動作させると、典型的には、溶剤の腐食性が低減されるため、従来のステンレス鋼の代わりに炭素鋼の如きより安価な材料を使用することが可能になる。また、蒸気置換を用いた分流法を固定床不可逆吸収技術と組み合わせて、例えば固体吸着剤の吸着床の循環ガスからＨ２Ｓおよび／またはＣＯＳを除去することにより、吸着剤の吸着床寿命を比較的長くすることができる。しかし、循環ガスを使用し、かつ二次再生器カラムを使用するため、既存の吸収器−再生器複合体の改装が比較的高価で、多くの時間を費やすことになる。
【発明の開示】
【発明が解決しようとする課題】
【００１０】
したがって、当該技術分野では、吸収器−再生器法の基本構成の様々な改造が知られているが、それらのすべてまたはほとんどは、１つまたは複数の短所がある。したがって、プロセスガスからガス成分を除去するための改良型の構成および方法を提供する必要がある。
【課題を解決するための手段】
【００１１】
本発明は、広くは、様々な供給ガス、特に低圧煙道ガスから酸性ガスを除去するための構成および方法であって、吸収器が希薄および準希薄溶剤流を受け入れ、各々の溶剤流は、第１および第２の再生器によって濃厚溶剤から形成される構成および方法に向けられる。当該構成において、第１の再生器と第２の再生器が熱統合され、特定の構成間のさらなる熱統合、および発電装置も考えられる。
【００１２】
発明の主題の一態様において、装置は、希薄溶剤および準希薄溶剤を使用して酸性ガスを供給ガスから除去することにより、準濃厚溶剤および濃厚溶剤を生成する吸収器を含む。第１の再生器は、濃厚溶剤の第１の部分を受け入れることによって、希薄溶剤および第１の再生器の塔頂留出物を生成し、第２の再生器は、濃厚溶剤の第２の部分を受け入れることによって、準希薄溶剤および第２の再生器の塔頂留出物を生成し、第２の再生器の塔頂留出物および準希薄溶剤は、濃厚溶剤の第２の部分から実質的に専ら生成される。
【００１３】
当該装置の特に好ましい構成において、濃厚溶剤の第２の部分を第１の再生器からの希薄溶剤に対して熱交換器で予備加熱し、かつ／または第２の再生器は、装置内の成分からの蒸気（例えば、第１の再生器の蒸気再沸器からのフラッシュ蒸気コンデンセート）を受け入れる。また、考えられる構成のすべてでなくても、たいていの構成において、吸収器は、第１および／または第２の再生器の圧力より低い圧力で動作することになる。当該構成は、供給ガスが、圧力が比較的低く（例えば３０ｐｓｉａで）、かつ／または（例えば０．２５％（体積）から３０％（体積）の）中程度の二酸化炭素量において酸素含有率の高い（例えば０．２５％（体積）から２０％（体積））の煙道ガスである場合に特に有用である。
【００１４】
特に考えられる吸収器は、準希薄溶剤および準濃厚溶剤の少なくとも一方（またはその混合物）を冷却する中間冷却器を含むことができる。好適な酸性ガス除去構成の熱統合に関して、熱エネルギーを供給する、かつ／または受けるすべてのプロセスを酸性ガス除去構成に動作的に結びつけることができると一般的に考えられている。しかし、一般には、酸性ガス除去構成は、発電装置ならびに煙道ガスから多量の熱を受けることができ、さらに（希薄溶剤冷却器、準希薄溶剤冷却器、再生器コンデンサおよび／または中間冷却器）から発電装置に少量の熱を供給できることが好ましい。
【００１５】
したがって、他の視点から捉えると、考えられる装置は、好ましくは、希薄溶剤および準希薄溶剤を使用して低圧煙道ガスから酸性ガスを除去する吸収器であって、希薄溶剤は、第１の圧力で動作する第１の再生器によって生成され、準希薄溶剤は、第２の圧力で動作する第２の再生器によって生成され、第１および第２の圧力の各々は、低圧煙道ガスの圧力より高い吸収器を含むことになる。
【００１６】
本発明の様々な目的、特徴、態様および利点は、同様の数字が同様の構成要素を表す添付の図面とともに、本発明の好ましい実施形態の以下の詳細な説明からより明らかになるであろう。
【発明を実施するための最良の形態】
【００１７】
発明者は、供給ガスからガス成分（特に酸性ガス）を除去するために希薄溶剤および準希薄溶剤を採用する構成および方法は、希薄溶剤および準希薄溶剤を別々の再生器で生成すると効率良く動作できることを発見した。発明者は、意外にも、当該構成についての必要溶剤流量が多いにもかかわらず、主に必要な熱エネルギー低減されるため、考えられるすべての構成またはほとんどすべての構成は大きな経済的利点を提供することを発見した。
【００１８】
さらに、本発明人等は、（ａ）準希薄溶剤再生器を、希薄再生器再沸器で生成されたコンデンセートからフラッシュする蒸気によってストリッピングし、（ｂ）吸収器の溶媒温度をより低く維持する吸収器中間冷却器を採用し、かつ／または（ｃ）投入および放出される熱エネルギーを他の装置（例えば発電装置、改質装置等）に統合すると、考えられる構成の様々な動作的態様をさらに向上させることができることを発見した。
【００１９】
供給ガス１０２が供給ガス圧で吸収器１１０に入る装置１００における例示的な構成を図１に示す。希薄溶剤１２２は、吸収器１１０の上部に入り、吸収器内で供給ガスに接触して、準濃厚溶媒１２４を形成し、それが吸収器１１０の下部に供給される。準濃厚溶剤１２４と準希薄溶剤１３２を混合して、混合溶剤（不図示）を形成することができる。あるいは、準濃厚溶剤１２４および準希薄溶剤１３２は、別々に吸収器の下部に入ることができる。また、特定の構成に応じて、準濃厚溶剤１２４、準希薄溶剤１３２および／または混合溶剤を吸収器中間冷却器１５０によって冷却することができる。本明細書に示す教示により複数の中間冷却器を併用することができ、各々の中間冷却器が吸収器のサイドドローを冷却できることを認識されたい。したがって、この脈絡において、複数の準濃厚溶剤流を冷却することができる。その結果、図１および図２に示される準希薄冷却器を省略できる。
【００２０】
濃厚溶剤１０６は、吸収器の底部またはその付近から吸収器１１０を出て、処理供給ガスは、希薄ガス１０４として吸収器１１０を出る。次いで、濃厚溶剤１０６を第１の部分と第２の部分（それぞれ１０６Ａと１０６Ｂ）に分け、両部分を、第１の再生器１２０からの希薄溶剤および第２の再生器１３０からの準希薄溶剤１３２に対して、溶剤交差型変換器１４０で加熱する。勿論、要望に応じて、濃厚溶剤を第１の部分と第２の部分に分ける前に、まず濃厚溶剤を交差型変換器（または他の好適な熱源）で加熱できることを認識されたい。
【００２１】
第１の再生器１２０は、蒸気再沸器１２８によって供給された熱で、溶剤１０６Ａからガス成分（例えば酸性ガス）を除去する。第１の再生器の塔頂留出物１２６を再生器コンデンサ１６０でさらに冷却し、アキュムレータ１６２においてコンデンセートと酸性ガスに分離させる。第１の再生器１２０からの希薄溶剤１２２を、（上述の）交差型交換器１４０で熱交換した後に再び吸収器１１０に導入する。
【００２２】
第２の再生器１３０は、第２の部分１０６Ｂからガス成分の少なくとも一部を除去して準希薄溶剤１３２、および次に第１の再生器の塔頂留出物１２６と混合される第２の再生器の塔頂留出物１３６を生成する。流体１３６を第１の再生器の上方洗浄部で洗浄することもできる。濃厚溶剤１０６Ｂの第２の部分を交差型交換器で（例えば希薄溶剤１２２および／または準希釈溶剤１３２に対して）加熱して、熱エネルギーをさらに消費することなく、準希薄溶剤の再生を促進することを特に理解されたい。さらに、またはあるいは、図２に示されるように、ガス処理装置２００の内部（または他の任意の箇所）に生成される蒸気２７６により、第２の再生器２３０における準希薄溶剤２３２の再生を支援することもできる。蒸気２７６を第１の再生器２２０の蒸気再沸器２２８から誘導し、再沸器２２８からのコンデンセート２７２を第２の再生器の動作圧力までフラッシュさせ、フラッシュドラム２８０でコンデンセートフラッシュ液２７４とコンデンセートフラッシュ蒸気２７６に分離させる（残りの構成に関しては、図１についての同じ考え方が適用される）。当該構成では、蒸気が準希薄溶剤における酸性ガス含有量を減少させ、それによって全体的な溶剤循環レートが減少することを特に認識されたい。注目すべきことは、蒸気は蒸気再沸器の副生成物として既に入手可能であるため、追加的な蒸気を装置の外部の蒸気源から導入する必要はない。
【００２３】
好適な供給ガスの源、組成および他のパラメータは著しく変動する場合があり、主に特定の組成、圧力および温度等は、特定の源に依存するものと一般的に考えられている。しかし、特に好ましい供給ガスは、改質器バーナまたはガスタービン排気ガスからの煙道ガスを含む。燃焼タービンからの煙道ガス以外のガスも考えられることをさらに理解されたい。このようなガスには、天然ガス、様々な精製ガス、燃焼ガス、または複数のガス源からの混合ガスを含み、どれも前処理してもしなくてもよい（考えられる前処理としては、分留、濾過、洗浄、および他のガスによる混合または希釈を挙げることができる）。したがって、化学組成は実質的に変動しうるが、好適な供給ガスは、好ましくは、二酸化炭素含有率が比較的低く（典型的には０．２５から３０体積％）、酸素含有率が比較的高い（典型的には０．２５から２０重量％）。結果として、プロセスガスの性質および溶剤の物理化学特性に応じて、ガス成分は、必ずしも二酸化炭素に限定されず、硫化水素、窒素、酸素、水素および／またはヘリウム等を含んでいてもよい。
【００２４】
供給ガスの圧力は、典型的には比較的低く、一般には０．１ｐｓｉａから３０ｐｓｉａの範囲にあるということがさらに考えられる。しかし、考えうるより高い圧力としては、約３０ｐｓｉａから１５０ｐｓｉａ、典型的には約１５０から３００ｐｓｉａより低い圧力が挙げられる。同様に、考えられる供給ガスの温度は変動し、主に特定のガス源および／または熱回収ユニットの使用に依存することになる。
【００２５】
吸収器に関しては、従来のすべての吸収器が、本明細書に提示されている教示との併用に適していると見なされものと考えられる。例えば、考えられる吸収器としては、毎時３０００万標準立方フィート（およびそれ以上）の能力のランダム充填床式吸収器が挙げられるが、様々なタイプ、大きさおよび能力のものも挙げることができる。他の代替物の中で、考えられる吸収器としては、構造的充填床式吸収器またはトレイ型吸収器を挙げることができる。同様に、比較的大量のプロセスガスを精製しようとする場合には、同一または異なる能力の複数の吸収器を利用できる。考えられる供給ガス量としては、毎時１００万から５０００万標準平方フィート（１−５０ＭＭＳＣＦ／ｈｒ）の流量が挙げられ、さらに多くの５０から１００ＭＭＳＣＦ／ｈｒの流量も考えられる。これに対して、より少量のプロセスガスを精製しようとする場合には、０．１から５０ＭＭＳＣＦ／ｈｒおよびそれ未満の流量が好適であると考えられる。
【００２６】
発明の主題の好ましい態様において、吸収器は、（送風器を用いる、または用いずに排気ガスとして吸収器に直接供給されうる）供給ガスの圧力と実質的に同一（±５ｐｓｉ以内）の圧力で動作することに特に留意されたい。したがって、好適な吸収器圧力は、典型的には約５ｐｓｉａから２５ｐｓｉａ、より典型的には１０から２０ｐｓｉａ、最も典型的には１４から１７ｐｓｉａである。あるいは、吸収器圧力は、２０ｐｓｉａを超えてもよく、３００ｐｓｉａまで（およびそれ以上）の好適な圧力も除外されない。
【００２７】
同様に、第１および第２の再生器は、実質的にタイプおよび容量が異なってもよく、好適な再生器のタイプおよび容量は、少なくとも一部に吸収器、および供給ガスの性質に依存することになることを認識されたい。したがって、第１および第２の再生器が、それぞれ吸収器から直接または間接的に濃厚溶剤の第１および第２の部分を受け入れ、第２の再生器の塔頂留出物および準希薄溶剤が、濃厚溶剤の第２の部分から実質的に専ら生成される限り、従来のすべての構成が本明細書での併用に適していると見なされるものと一般に考えられる。本明細書に用いられている「濃厚溶剤の第２の部分から実質的に専ら生成される」という用語は、第１の再生器の上部を出た濃厚ガス流は、典型的には準希薄溶剤再生器に送り込まれることがなく（送り込まれるとしても２０体積％以下である）、かつ／または第２の再生器への供給は濃厚溶剤の少なくとも８０％を含むことを意味する。場合によって加えられるストリッピングガスまたは蒸気（例えば図２を参照のこと）は、この定義に含められない。
【００２８】
結果として、第２の再生器における任意の供給蒸気中の酸性ガス成分の分圧は比較的低く保たれることを特に認識されたい。また、加熱濃厚溶剤を受け入れるとともに、フラッシュドラム内の溶剤の上の酸性ガス分圧を下げるために蒸気をさらに受け入れることができるフラッシュドラムとして、第２の再生器を動作させることができることを理解されたい。
【００２９】
第１および第２の再生器における好適な圧力に関しては、第１および第２の再生器の少なくとも一方における圧力は吸収器における圧力より高いと一般に考えられ、第１および／または第２の再生器における特定の圧力は、主に特定の溶剤、溶剤濃度、温度、および／または溶剤における（残留）二酸化炭素含有量に依存することを認識されたい。したがって、再生器の少なくとも一方と吸収器との考えられる圧力差は、少なくとも２ｐｓｉ、より典型的には少なくとも５ｐｓｉ、最も典型的には１０から１５ｐｓｉである。また、第２の再生器に供給される蒸気の量に関しては、蒸気量が大きく変動しうることを認識されたい。
【００３０】
同様に、第１の再生器の再沸器は、蒸気動作再沸器に限定されず、油加熱、火炎加熱または電気加熱再沸器を含む代替的な再沸器であってもよい。また、好適なポンプ、弁および配管を当業者であれば容易に調達可能であり、それらを発明の主題による構成に実装するのに、必要以上の実験を要しないことを認識されたい。
【００３１】
溶剤に関しては、溶剤はアミン含有水性溶剤（化学溶剤）であることが一般に好ましく、特に好ましい溶剤としては、モノエタノールアミン（ＭＥＡ）を含む溶剤が挙げられる。しかし、物理および化学溶剤、ならびにそれらの任意の合理的な組合せを含む多くの代替的な溶剤も適切であると見なされることを認識されたい。例えば、物理溶剤としては、ＳＥＬＥＸＯＬ（商標）（ポリエチレングリコールのジメチルエーテル）およびメタノールが挙げられ、化学溶剤としては、有機アミンおよび混合アミンが挙げられる。特に考えられる化学溶剤は、ＭＥＡ、ジエタノールアミン、ジグリコールアミンおよびメチルジエタノールアミンである。さらに、考えられる溶剤と組み合わせる補助溶剤も適切であることを理解されたい。好適な溶剤は、広く市販されており、または選択する用途に応じた仕様に合わせて調製されうる。また、そして特に供給ガスが相当量の酸素を含む場合には、考えられる溶剤としては、さらに腐食防止剤を挙げることができる。多くの腐食防止剤が当該技術分野で知られており、例えば米国特許第６，０３６，８８８号、第４，５９６，８４９号または第４，３７２，８７３号には例示的な腐食防止剤が記載されている。考えられる溶剤に添加または含めることのできるさらなる好適な試薬は、消泡剤、緩衝剤および金属塩等である。
【００３２】
濃厚溶剤流の加熱、希薄溶剤流および／または準希薄溶剤流の冷却に関しては、交差型熱交換器以外の様々なデバイスも適切であると考えられる。例えば、蒸気再沸器、または高温流体、高温ガスおよび電気を含む熱交換器以外の熱源からの残留熱を利用して、濃厚溶剤流を加熱することができる。同様に、希薄溶剤流および準希薄溶剤流の冷却を、水、空気または他の冷媒を冷却剤として採用する単一、または２つの独立した冷却デバイスによって行うことができる。それにより、冷却デバイスをエネルギー的に結合させてもよいし、ガス精製プロセスから独立させてもよい。当該冷却に副冷却器が採用されるのが好ましいが、複数の副冷却器、または２つの溶剤流に対して２つの独立流路を有する単一の副冷却器を含む様々な構成も考えられる。さらに、そして特に準濃厚溶剤流が準希薄溶剤流と混合される場合には、中間冷却器を採用して、混合溶剤、および／または準濃厚および／または準希薄溶剤流を冷却することができる。考えられる冷却器は、好ましくは、希薄溶剤流および準希薄溶剤流を１０℃以上、より好ましくは２５℃以上、最も好ましくは５０℃以上下げる。しかし、そして特に中間冷却器が採用される場合には、それ以外の温度低下も好適であると見なされる。代替的な冷却システムとしては、コイル冷却トレイまたは内部熱交換器が挙げられる。
【００３３】
発明の主題のさらなる代替的な態様において、準濃厚溶剤流は、特定の（例えば０．３より大きい）二酸化炭素含有率を有する単一の準濃厚溶剤流に限定される必要はなく、準濃厚溶剤の少なくとも一部が吸収器の下部にフィードバックされるのであれば、二酸化炭素含有率が同一または異なる複数の準濃厚溶剤流を含むことができる。例えば、吸収器の上部からの距離が同じであってもなくてもよい異なる位置で、吸収器から適切な準濃厚溶剤流を抜き取ることができる。２００１年５月１１日に出願され、参照により本明細書に組み込まれている出願番号第０９／８３１，５８２号の同時係属同一出願人の米国出願に、考えられる構成および方法に該当するさらなる構成および態様を見いだすことができる。
【００３４】
発明の主題による構成および方法の考えられるさらなる態様において、ガス処理装置以外の源、特には様々な装置の熱回収ユニットを含む好適な源（後載）によって、再沸器用の低圧蒸気２７０を供給することもできる。したがって、そして少なくとも図３に示される１つの観点から、考えられる装置構成としては、回収装置（例えば二酸化炭素回収用ガス処理装置）が発電装置と熱統合される構成において、低レベルの熱が回収装置により発電装置に供給され、高レベルの熱が発電装置から回収装置に供給される構成が挙げられる。例えば、回収装置は、溶剤冷却器（例えば希薄溶剤冷却器、準希薄溶剤冷却器）またはコンデンサ（例えば再生器コンデンサ）を含む回収装置熱源から発電装置のボイラ供給水に対して熱を供給することができ、発電装置は、有利には、低圧蒸気コンデンセートを、回収装置における第１の再生器の蒸気再沸器を動作させる低圧蒸気に変換するための熱を供給することができる。「ガス処理（トリートメント）装置」、「ガス処理（プロセッシング）装置」および「回収装置」という用語は、本明細書では区別なく用いられ、ガス成分（典型的には酸性ガス、最も典型的には二酸化炭素）を供給ガスから除去する考えられる装置を意味する。
【００３５】
考えられる装置のさらなる好ましい熱統合方式としては、回収装置に対する必要な熱エネルギーが、回収装置によって処理される供給ガスの源によって少なくとも部分的に、または全面的に供給される方式が挙げられる。例えば、図４Ａは、ボイラ供給水を、図１の構成を有する装置の第１の再生器を動作させるのに使用できる低圧蒸気に変換する熱回収ユニットに（例えば改質器からの）煙道ガスを誘導する構成を示す図である。必要な場合には、追加の燃料を使用して、（例えばダクト着火により）熱回収ユニット内の温度を上げることができる。あるいは、図４Ｂに示されるように、熱回収ユニット内の煙道ガスの熱が十分に高い場合には、熱回収ユニットにおいて生成される高圧蒸気を使用して電力を生成することができる。次いで、発電により得られた低圧蒸気を回収ユニットに採用して、熱エネルギーを必要とするプロセス（例えば第１の再生機用の蒸気再沸器）を駆動することができる。したがって、これまでに知られている酸性ガス除去装置が、（次に、ボイラ炉に再び酸性ガスを生成した）個別の蒸気ボイラでその熱需要を満たしていた場合には、考えられる構成は、煙道ガス（または煙道ガスを生成する装置内の他の熱源）の含有熱を採用して、回収装置内の熱依存性プロセスを駆動することを特に認識されたい。
【００３６】
当該熱統合構成は、煙道ガスが、追加燃料の燃焼を支援するのに十分な量の酸素（典型的には４％（体積）またはそれ以上の酸素濃度）を含む場合に特に有利である。したがって、特に好適な煙道ガスとしては、ガスタービン排気ガスおよび改質器煙道ガスが挙げられる。当該構成において、熱回収ユニットは、天然ガスまたは他の燃料を煙道ガスに投入することによりダクト着火を行う煙道ガス処理ユニット（例えば脱硫および／または二酸化炭素除去ユニット）の上流に配置される。天然ガスまたは他の燃料と煙道ガスの残留酸素を混合することで、煙道ガス温度を、蒸気を生成し、図１または２の第１の再生器の再沸器に送ることができる温度まで高める。
【００３７】
他の利点の中でも、（ａ）煙道ガスは既に高温であるため、必要とされる天然ガスまたは他の燃料の量は、ボイラにおいて必要とされる量より少なく、（ｂ）煙道ガスの二酸化炭素濃度が高くなることによって、プロセスにおける二酸化炭素取込み効率が著しく高められ、（ｃ）煙道ガス酸素濃度が低下するため、酸性ガス除去プロセスにおけるアミンの劣化率が低下し、（ｄ）ダクト着火後に高温に達することにより、ＮＯｘ除去ユニットを追加することが可能になり、（ｅ）さもなければ溶剤の再生のための蒸気を生成するのに必要とされる個別的なボイラからの新たな二酸化炭素の排出が防止され、（ｆ）全体コストが低減されるため、当該プロセスは、典型的には、ボイラからの蒸気の生成または蒸気タービンからの抽出より優れていることをとりわけ認識すべきである。
【００３８】
考えられる熱統合構成を用いる例示的な構成の経済的有益性を判断するために、毎日４１３トンの二酸化炭素を生成するプロセスを用いて比較シミュレーションを行った（図４Ｂ）。比較（事例Ａ）では、３０２°Ｆで６．０％の二酸化炭素を含む典型的な改質器煙道ガスを煙道ガス脱硫およびエコナミンＦＧプラス（実質的に図１および２に示されるようなプロセス）プロセスに直接送った。対照（事例Ｂ）では、同じ煙道ガスを、最初に、同じ煙道ガス脱硫およびエコナミンＦＧプラスプロセスで熱統合された熱回収ユニットに送った。回収する二酸化炭素のモル数を一定にし、かつ吸収器充填高さを一定にして、それら２つの事例を比較した。エコナミンＦＧプラスプロセスは、分留構成、中間冷却吸収器、溶剤としての３５重量％水性ＭＥＡ、１５°Ｆの最小交差型交換器アプローチ温度で設計された。熱回収ユニットは、１５°Ｆの最小アプローチ温度で設計された。脱硫／ＤＣＣユニットにおける煙道ガスの温度は１０４°Ｆに設定された。
【表１】
2005532157.tif 000003
【００３９】
煙道ガス二酸化炭素濃度が６．０から７．２％に増加しているため、ＭＥＡ溶剤能力が高くなっている。より小さな循環量で同じ除去能力を得ることができ、濃厚溶剤の含有量が増えることで、ストリッピングがより容易になる。その結果、再沸器負荷が約６．９％低下する。熱回収ユニットで煙道ガスが受ける圧力降下（１０”Ｈ２Ｏに設定）により、送風器電力が増大する。
【００４０】
あるいは、熱回収ユニットにおいて高圧の蒸気を生成することによって、電力を生成することができる（図４Ｂを参照）。ある程度の電力を生成してエコナミンＦＧプラスプロセスの要求を満たしながら、タービン内で蒸気を過熱し、膨張させることができ、抽出蒸気（５０ｐｓｉｇ、過熱済）を再沸器に送ることができる。蒸気圧を４５０ｐｓｉｇとして、シミュレータにより第３の事例（Ｃ）を行って、この構成を再現した。以下の表は、そのシミュレーションの結果を報告し、第３の事例Ｃと事例Ｂを比較したものである。
【表２】
2005532157.tif 000004
【００４１】
ここでわかるように、天然ガスを約３０％多く使用することによって、２８４７ｈｐ（２．１ＭＷ）の電力が生成される。この電力は、プロセスの中で格段に多くの電力を消費するユニットである送風器の消費量を十分に満たすものである。
【００４２】
したがって、本発明者は、希薄溶剤および準希薄溶剤を使用して供給ガスから酸性ガスを除去することにより、準濃厚溶剤および濃厚溶剤を生成する吸収器を含む装置を広く検討するものである。当該装置は、濃厚溶剤の第１の部分を受け入れることによって、希薄溶剤および第１の再生器の塔頂留出物を生成する第１の再生器と、濃厚溶剤の第２の部分を受け入れることによって、準希薄溶剤および第２の再生器の塔頂留出物を生成する第２の再生器とを含み、第２の再生器の塔頂留出物および準希薄溶剤は、濃厚溶剤の第２の部分から実質的に専ら生成される。好ましくは、濃厚溶剤の第２の部分は、第１の再生器からの希薄溶剤に対して、熱交換器で過熱され、かつ／または第２の再生器は、装置内の構成要素からの蒸気（構成要素は例えば第１の再生器の蒸気再沸器で、蒸気は蒸気再沸器からのフラッシュ蒸気コンデンセートであってもよい）をさらに受け入れる。
【００４３】
好ましい態様のすべてではなくても、ほとんどの場合は、（好ましくは、準希薄、準濃厚および／または混合溶剤を冷却する中間冷却器をさらに含む）吸収器は、第１の再生器の動作圧力および第２の再生器の動作圧力より低い圧力で動作することになる。例えば、吸収器に入る好適な供給ガスは、２０ｐｓｉａ以下の圧力の煙道ガスであってもよい（例えば、供給ガス中の酸性ガスは、二酸化炭素で、０．５％（体積）から３．５％（体積）の濃度を有し、供給ガスは、５％（体積）から１５％（体積）の濃度の酸素をさらに含む）。
【００４４】
さらに、考えられる装置を、熱（典型的には蒸気再沸器用の高レベルの熱）および有利には供給ガスを供給できる他の装置（例えば、改質器を備えたアンモニアガス生成装置、ガスタービンを備えた発電装置等）と熱統合することができ、当該他の装置は、考えられる装置から熱（典型的には、ボイラ供給水を予備過熱するための低レベルの熱）を受け入れることもできる。したがって、他の観点から見ると、考えられる装置は、希薄溶剤および準希薄溶剤を使用して、低圧煙道ガスから酸性ガスを除去する吸収器を含み、希薄溶剤は、第１の圧力で動作する第１の再生器によって生成され、準希薄溶剤は、第２の圧力で動作する第２の再生器によって生成され、第１および第２の圧力の各々は、低圧煙道ガスの圧力より高い。
【００４５】
改良型分留構成および方法の具体的な実施形態および応用を開示した。しかし、本明細書に記載した発明のコンセプトを逸脱することなく、既に記載した改造以外に他の多くの改造が可能であることを当業者なら理解するはずである。したがって、発明の対象事案は、添付の特許請求の範囲の趣旨を除いて、制限されるものではない。さらに、明細書と請求項の両方を解釈する上で、すべての用語は、脈絡に符合する可能な限り広い意味で解釈されるべきである。特に、「備える（comprises）」および「備えている（comprising）」は、非排他的に、要素、構成要素または工程を指し、示された要素、構成要素または工程が存在し、利用され、あるいは特に示されていない他の要素、構成要素または工程と併用されうるものとして解釈されるべきである。
【図面の簡単な説明】
【００４６】
【図１】発明の主題によるガス処理装置の１つの例示的な構成を示す概略図である。
【図２】発明の主題によるガス処理装置の他の例示的な改良構成を示す概略図である。
【図３】発明の主題によるガス処理装置の１つの例示的な改良構成を示す概略図である。
【図４Ａ】発明の主題によるガス処理装置の熱統合に対する１つの例示的な構成を示す概略図である。
【図４Ｂ】発明の主題によるガス処理装置の熱統合に対する他の例示的な構成を示す概略図である。
【図１】
2005532157.tif 000005
【図２】
2005532157.tif 000006
【図３】
2005532157.tif 000007
【図４Ａ】
2005532157.tif 000008
【図４Ｂ】
2005532157.tif 000009
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
希薄溶剤および準希薄溶剤を受け入れることによって、準濃厚溶剤および濃厚溶剤を生成する、供給ガスから酸性ガスを除去する吸収器と、
濃厚溶剤の第１の部分を受け入れることによって、吸収器に供給される希薄溶剤、および第１の再生器の塔頂留出物を生成する第１の再生器と、
濃厚溶剤の第２の部分を受け入れることによって、吸収器に供給される準希薄溶剤、および第２の再生器の塔頂留出物を生成する第２の再生器とを備え、
第２の再生器の塔頂留出物、および吸収器に供給される準希薄溶剤は、濃厚溶剤の第２の部分から実質的に専ら生成される装置。
【請求項２】
濃厚溶剤の第２の部分は、第１の再生器からの希薄溶剤に対して、熱交換器で予備加熱される請求項１に記載の装置。
【請求項３】
第２の再生器は、装置内の構成要素からの蒸気をさらに受け入れる請求項２に記載の装置。
【請求項４】
構成要素は、第１の再生器の蒸気再沸器で、蒸気は、蒸気再沸器からのフラッシュ蒸気コンデンセートである請求項３に記載の装置。
【請求項５】
吸収器は、第１の再生器の動作圧力および第２の再生器の動作圧力より低い圧力で動作する請求項１に記載の装置。
【請求項６】
供給ガスは、３０ｐｓｉａ以下の圧力の煙道ガスを含む請求項５に記載の装置。
【請求項７】
供給ガス中の酸性ガスは二酸化炭素で、０．２５％（体積）から３０％（体積）の濃度を有し、供給ガスは、０．２５％（体積）から２０％（体積）の濃度の酸素をさらに含む請求項６に記載の装置。
【請求項８】
吸収器は、準濃厚溶剤の少なくとも一部を受け入れ、冷却して、吸収器に再導入される冷準濃厚溶剤を形成する中間冷却器に結合される請求項１に記載の装置。
【請求項９】
準希薄溶剤の少なくとも一部が準濃厚溶剤と混合されて、混合溶剤を形成し、中間冷却器は、混合溶剤を冷却して、吸収器に供給される冷混合溶剤を形成する請求項８に記載の装置。
【請求項１０】
吸収器は、準希薄溶剤の少なくとも一部を受け入れ、冷却して、吸収器に供給される冷準希薄溶剤を形成する中間冷却器に結合される請求項１に記載の装置。
【請求項１１】
場合によって、吸収器に動作結合された中間冷却器を備え、発電装置または改質装置が該装置に動作結合され、発電装置または改質装置は、（ａ）第１の再生器の再沸器に対するエネルギーおよび（ｂ）吸収器に供給される供給ガスを供給し、（ｃ）エネルギーは、場合によって、ダクト着火を採用する熱回収ユニットによって供給される請求項１に記載の装置。
【請求項１２】
希薄溶剤冷却器、準希薄溶剤冷却器および再生器コンデンサの少なくとも１つを備え、希薄溶剤冷却器、準希薄溶剤冷却器、再生器コンデンサおよび中間冷却器の少なくとも１つによって発電装置に熱が供給される請求項１１に記載の装置。
【請求項１３】
場合によって吸収器に動作結合された中間冷却器を備え、希薄溶剤冷却器、準希薄溶剤冷却器および再生器コンデンサの少なくとも１つをさらに備え、発電装置が該装置に動作結合され、希薄溶剤冷却器、準希薄溶剤冷却器、再生器コンデンサおよび中間冷却器の少なくとも１つによって発電装置に熱が供給される請求項１に記載の装置。
【請求項１４】
吸収器が、希薄溶剤および準希薄溶剤を受け入れて低圧煙道ガスから酸性ガスを除去する装置であって、希薄溶剤は、第１の圧力で動作する第１の再生器によって生成され、準希薄溶剤は、第２の圧力で動作する第２の再生器によって生成され、希薄溶剤および準希薄溶剤は吸収器に供給され、第１および第２の圧力の各々は、低圧煙道ガスの圧力より高い装置。
【請求項１５】
第１および第２の再生器は、それぞれ濃厚溶剤の第１および第２の部分を受け入れ、濃厚溶剤は、吸収器によって生成される請求項１４に記載の装置。
【請求項１６】
濃厚溶剤の第２の部分は、濃厚溶剤の第２の部分が第２の再生器に入る前に、第１の再生器の希薄溶剤によって加熱される請求項１５に記載の装置。
【請求項１７】
第２の再生器は、第１の再生器の蒸気再沸器によって生成されたコンデンセートからフラッシュされる蒸気をさらに受け入れる請求項１４に記載の装置。
【請求項１８】
吸収器は中間冷却器に結合され、中間冷却器は、吸収器によって生成された準濃厚溶剤および第２の再生器によって生成された準希薄溶剤の少なくとも一方を冷却する請求項１４に記載の装置。
【請求項１９】
低圧煙道ガスは、３０％（体積）以下の二酸化炭素および２０％（体積）未満の酸素を含み、低圧煙道ガスは、３０ｐｓｉａ以下の圧力を有する請求項１４に記載の装置。
【請求項２０】
場合によって吸収器に動作結合された中間冷却器を備え、発電装置または改質装置が該装置に動作結合され、発電装置は、（ａ）第１の再生器の再沸器に対する熱、および（ｂ）吸収器に供給される供給ガスを供給し、発電装置または改質装置は、場合によって、希薄溶剤冷却器、準希薄溶剤冷却器、該装置の再生器コンデンサ、および中間冷却器の少なくとも１つによる該装置からの熱を受け入れる請求項１４に記載の装置。
【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
希薄溶剤および準希薄溶剤を受け入れることによって、準濃厚溶剤および濃厚溶剤を生成する、供給ガスから酸性ガスを除去する吸収器と、
濃厚溶剤の第１の部分を受け入れることによって、吸収器に供給される希薄溶剤、および第１の再生器の塔頂留出物を生成する第１の再生器と、
濃厚溶剤の第２の部分を受け入れることによって、吸収器に供給される準希薄溶剤、および第２の再生器の塔頂留出物を生成する第２の再生器とを備え、
濃厚溶剤の第２の部分は、第１の再生器からの希薄溶剤に対して、熱交換器で予備加熱され、
第２の再生器の塔頂留出物、および吸収器に供給される準希薄溶剤は、濃厚溶剤の第２の部分から実質的に専ら生成される装置。
【請求項２】
第２の再生器は、装置内の構成要素からの蒸気をさらに受け入れる請求項１に記載の装置。
【請求項３】
構成要素は、第１の再生器の蒸気再沸器で、蒸気は、蒸気再沸器からのフラッシュ蒸気コンデンセートである請求項２に記載の装置。
【請求項４】
吸収器は、第１の再生器の動作圧力および第２の再生器の動作圧力より低い圧力で動作する請求項１に記載の装置。
【請求項５】
供給ガスは、３０ｐｓｉａ以下の圧力の煙道ガスを含む請求項４に記載の装置。
【請求項６】
供給ガス中の酸性ガスは二酸化炭素で、０．２５％（体積）から３０％（体積）の濃度を有し、供給ガスは、０．２５％（体積）から２０％（体積）の濃度の酸素をさらに含む請求項５に記載の装置。
【請求項７】
吸収器は、準濃厚溶剤の少なくとも一部を受け入れ、冷却して、吸収器に再導入される冷準濃厚溶剤を形成する中間冷却器に結合される請求項１に記載の装置。
【請求項８】
準希薄溶剤の少なくとも一部が準濃厚溶剤と混合されて、混合溶剤を形成し、中間冷却器は、混合溶剤を冷却して、吸収器に供給される冷混合溶剤を形成する請求項７に記載の装置。
【請求項９】
吸収器は、準希薄溶剤の少なくとも一部を受け入れ、冷却して、吸収器に供給される冷準希薄溶剤を形成する中間冷却器に結合される請求項１に記載の装置。
【請求項１０】
場合によって、吸収器に動作結合された中間冷却器を備え、発電装置または改質装置が該装置に動作結合され、発電装置または改質装置は、（ａ）第１の再生器の再沸器に対するエネルギーおよび（ｂ）吸収器に供給される供給ガスを供給し、（ｃ）エネルギーは、場合によって、ダクト着火を採用する熱回収ユニットによって供給される請求項１に記載の装置。
【請求項１１】
希薄溶剤冷却器、準希薄溶剤冷却器および再生器コンデンサの少なくとも１つを備え、希薄溶剤冷却器、準希薄溶剤冷却器、再生器コンデンサおよび中間冷却器の少なくとも１つによって発電装置に熱が供給される請求項１０に記載の装置。
【請求項１２】
場合によって吸収器に動作結合された中間冷却器を備え、希薄溶剤冷却器、準希薄溶剤冷却器および再生器コンデンサの少なくとも１つをさらに備え、発電装置が該装置に動作結合され、希薄溶剤冷却器、準希薄溶剤冷却器、再生器コンデンサおよび中間冷却器の少なくとも１つによって発電装置に熱が供給される請求項１に記載の装置。
【請求項１３】
吸収器が、希薄溶剤および準希薄溶剤を受け入れて低圧煙道ガスから酸性ガスを除去する装置であって、希薄溶剤は、第１の圧力で動作する第１の再生器によって生成され、準希薄溶剤は、第２の圧力で動作する第２の再生器によって生成され、希薄溶剤および準希薄溶剤は吸収器に供給され、第１および第２の圧力の各々は、低圧煙道ガスの圧力より高い装置。
【請求項１４】
第１および第２の再生器は、それぞれ濃厚溶剤の第１および第２の部分を受け入れ、濃厚溶剤は、吸収器によって生成される請求項１３に記載の装置。
【請求項１５】
濃厚溶剤の第２の部分は、濃厚溶剤の第２の部分が第２の再生器に入る前に、第１の再生器の希薄溶剤によって加熱される請求項１４に記載の装置。
【請求項１６】
第２の再生器は、第１の再生器の蒸気再沸器によって生成されたコンデンセートからフラッシュされる蒸気をさらに受け入れる請求項１３に記載の装置。
【請求項１７】
吸収器は中間冷却器に結合され、中間冷却器は、吸収器によって生成された準濃厚溶剤および第２の再生器によって生成された準希薄溶剤の少なくとも一方を冷却する請求項１３に記載の装置。
【請求項１８】
低圧煙道ガスは、３０％（体積）以下の二酸化炭素および２０％（体積）未満の酸素を含み、低圧煙道ガスは、３０ｐｓｉａ以下の圧力を有する請求項１３に記載の装置。
【請求項１９】
場合によって吸収器に動作結合された中間冷却器を備え、発電装置または改質装置が該装置に動作結合され、発電装置は、（ａ）第１の再生器の再沸器に対する熱、および（ｂ）吸収器に供給される供給ガスを供給し、発電装置または改質装置は、場合によって、希薄溶剤冷却器、準希薄溶剤冷却器、該装置の再生器コンデンサ、および中間冷却器の少なくとも１つによる該装置からの熱を受け入れる請求項１３に記載の装置。
【国際調査報告】
2005532157.tif 000010